【手続補正書】
【提出日】平成18年8月8日(2006.8.8)
【手続補正１】
【補正対象書類名】明細書
【補正対象項目名】特許請求の範囲
【補正方法】変更
【補正の内容】
【特許請求の範囲】
【請求項１】
式
【化１】
2002524449.tif 000001
［式中、
ａ）ｍは０の数を示し、
ｎは１の数を示し、
Ｙは２−クロロ、２−フルオロ、４−ブロモ、２−メチル、２−トリフルオロメチル、３−トリフルオロメチルを示すか、
ニトロ、シアノ、ヒドロキシル、カルボキシル、１〜６個の炭素原子及び１〜５個のハロゲン原子を有するハロゲノアルコキシ、１〜６個の炭素原子及び１〜５個のハロゲン原子を有するハロゲノアルキルチオ、２〜８個の炭素原子を有するアルケニルオキシ、２〜８個の炭素原子を有するアルキニルオキシ、３〜８個の炭素原子を有するシクロアルキル、アルコキシ部分中に１〜８個の炭素原子を有するカルバルコキシ又はアルコキシ部分中に１〜６個の炭素原子及びアルキル部分中に１〜６個の炭素原子を有するアルコキシイミノアルキルを示すか、
あるいは
ｂ）ｍは０の数を示し、
ｎは２もしくは３の数を示し、
Ｙはハロゲン、ニトロ、シアノ、ヒドロキシル、カルボキシル、１〜８個の炭素原子を有するアルキル、１〜６個の炭素原子及び１〜５個のハロゲン原子を有するハロゲノアルキル、１〜８個の炭素原子を有するアルコキシ、１〜６個の炭素原子及び１〜５個のハロゲン原子を有するハロゲノアルコキシ、１〜８個の炭素原子を有するアルキルチオ、１〜６個の炭素原子及び１〜５個のハロゲン原子を有するハロゲノアルキルチオ、２〜８個の炭素原子を有するアルケニルオキシ、２〜８個の炭素原子を有するアルキニルオキシ、３〜８個の炭素原子を有するシクロアルキル、アルコキシ部分中に１〜８個の炭素原子を有するカルバルコキシ又はアルコキシ部分中に１〜６個の炭素原子及びアルキル部分中に１〜６個の炭素原子を有するアルコキシイミノアルキルを示すか、
あるいは
ｃ）ｍは１の数を示し、
Ｘは塩素、臭素、ニトロ、シアノ、ヒドロキシル、カルボキシル、１〜８個の炭素原子を有するアルキル、１〜６個の炭素原子及び１〜５個のハロゲン原子を有するハロゲノアルキル、１〜８個の炭素原子を有するアルコキシ、１〜６個の炭素原子及び１〜５個のハロゲン原子を有するハロゲノアルコキシ、１〜８個の炭素原子を有するアルキルチオ、１〜６個の炭素原子及び１〜５個のハロゲン原子を有するハロゲノアルキルチオ、２〜８個の炭素原子を有するアルケニルオキシ、２〜８個の炭素原子を有するアルキニルオキシ、３〜８個の炭素原子を有するシクロアルキル、アルコキシ部分中に１〜８個の炭素原子を有するカルバルコキシ又はアルコキシ部分中に１〜６個の炭素原子及びアルキル部分中に１〜６個の炭素原子を有するアルコキシイミノアルキルを示し、
ｎは０〜３の整数を示し、
Ｙはハロゲン、ニトロ、シアノ、ヒドロキシル、カルボキシル、１〜８個の炭素原子を有するアルキル、１〜６個の炭素原子及び１〜５個のハロゲン原子を有するハロゲノアルキル、１〜８個の炭素原子を有するアルコキシ、１〜６個の炭素原子及び１〜５個のハロゲン原子を有するハロゲノアルコキシ、１〜８個の炭素原子を有するアルキルチオ、１〜６個の炭素原子及び１〜５個のハロゲン原子を有するハロゲノアルキルチオ、２〜８個の炭素原子を有するアルケニルオキシ、２〜８個の炭素原子を有するアルキニルオキシ、３〜８個の炭素原子を有するシクロアルキル、アルコキシ部分中に１〜８個の炭素原子を有するカルバルコキシ又はアルコキシ部分中に１〜６個の炭素原子及びアルキル部分中に１〜６個の炭素原子を有するアルコキシイミノアルキルを示す］
のピラゾール−カルボキシアニリド。
【請求項２】
ａ）ｍが０の数を示し、
ｎが１の数を示し、
Ｙが２−クロロ、２−フルオロ、４−ブロモ、２−メチル、２−トリフルオロメチル、３−トリフルオロメチルを示すか、
ニトロ、シアノ、ヒドロキシル、カルボキシル、１もしくは２個の炭素原子及び１〜５個のフッ素、塩素及び／又は臭素原子を有するハロゲノアルコキシ、１もしくは２個の炭素原子及び１〜５個のフッ素、塩素及び／又は臭素原子を有するハロゲノアルキルチオ、２〜６個の炭素原子を有するアルケニルオキシ、２〜６個の炭素原子を有するアルキニルオキシ、３〜７個の炭素原子を有するシクロアルキル、アルコキシ部分中に１〜４個の炭素原子を有するカルバルコキシを示すか、又はアルコキシ部分中に１〜４個の炭素原子及びアルキル部分中に１〜４個の炭素原子を有するアルコキシイミノアルキルを示すか、
あるいは
ｂ）ｍが０の数を示し、
ｎが２もしくは３の数を示し、
Ｙがフッ素、塩素、臭素、ニトロ、シアノ、ヒドロキシル、カルボキシル、１〜６個の炭素原子を有するアルキル、１もしくは２個の炭素原子及び１〜５個のフッ素、塩素及び／又は臭素原子を有するハロゲノアルキル、１〜６個の炭素原子を有するアルコキシ、１もしくは２個の炭素原子及び１〜５個のフッ素、塩素及び／又は臭素原子を有するハロゲノアルコキシ、１〜６個の炭素原子を有するアルキルチオ、１もしくは２個の炭素原子及び１〜５個のフッ素、塩素及び／又は臭素原子を有するハロゲノアルキルチオ、２〜６個の炭素原子を有するアルケニルオキシ、２〜６個の炭素原子を有するアルキニルオキシ、３〜７個の炭素原子を有するシクロアルキル、アルコキシ部分中に１〜４個の炭素原子を有するカルバルコキシを示すか、又はアルコキシ部分中に１〜４個の炭素原子及びアルキル部分中に１〜４個の炭素原子を有するアルコキシイミノアルキルを示すか、
あるいは
ｃ）ｍが１の数を示し、
Ｘが塩素、臭素、ニトロ、シアノ、ヒドロキシル、カルボキシル、１〜６個の炭素原子を有するアルキル、１もしくは２個の炭素原子及び１〜５個のフッ素、塩素及び／又は臭素原子を有するハロゲノアルキル、１〜６個の炭素原子を有するアルコキシ、１もしくは２個の炭素原子及び１〜５個のフッ素、塩素及び／又は臭素原子を有するハロゲノアルコキシ、１〜６個の炭素原子を有するアルキルチオ、１もしくは２個の炭素原子及び１〜５個のフッ素、塩素及び／又は臭素原子を有するハロゲノアルキルチオ、２〜６個の炭素原子を有するアルケニルオキシ、２〜６個の炭素原子を有するアルキニルオキシ、３〜７個の炭素原子を有するシクロアルキル、アルコキシ部分中に１〜４個の炭素原子を有するカルバルコキシを示すか、又はアルコキシ部分中に１〜４個の炭素原子及びアルキル部分中に１〜４個の炭素原子を有するアルコキシイミノアルキルを示し、
ｎが０〜３の整数を示し、
Ｙがフッ素、塩素、臭素、ニトロ、シアノ、ヒドロキシル、カルボキシル、１〜６個の炭素原子を有するアルキル、１もしくは２個の炭素原子及び１〜５個のフッ素、塩素及び／又は臭素原子を有するハロゲノアルキル、１〜６個の炭素原子を有するアルコキシ、１もしくは２個の炭素原子及び１〜５個のフッ素、塩素及び／又は臭素原子を有するハロゲノアルコキシ、１〜６個の炭素原子を有するアルキルチオ、１もしくは２個の炭素原子及び１〜５個のフッ素、塩素及び／又は臭素原子を有するハロゲノアルキルチオ、２〜６個の炭素原子を有するアルケニルオキシ、２〜６個の炭素原子を有するアルキニルオキシ、３〜７個の炭素原子を有するシクロアルキル、アルコキシ部分中に１〜４個の炭素原子を有するカルバルコキシを示すか、又はアルコキシ部分中に１〜４個の炭素原子及びアルキル部分中に１〜４個の炭素原子を有するアルコキシイミノアルキルを示す
請求項１に従う式（Ｉ）のピラゾール−カルボキシアニリド。
【請求項３】
式
【化２】
2002524449.tif 000002
により特徴付けられる請求項１に従うピラゾール−カルボキシアニリド。
【請求項４】
式
【化３】
2002524449.tif 000003
により特徴付けられる請求項１に従うピラゾール−カルボキシアニリド。
【請求項５】
式
【化４】
2002524449.tif 000004
により特徴付けられる請求項１に従うピラゾール−カルボキシアニリド。
【請求項６】
式
【化５】
2002524449.tif 000005
［式中、
Ｈａｌはハロゲンを示す］
のハロゲン化アシルを式
【化６】
2002524449.tif 000006
［式中、
Ｘ、Ｙ、ｍ及びｎはそれぞれ上記で定義した通りである］
のアニリン誘導体と、適宜酸結合剤の存在下に且つ適宜希釈剤の存在下において、反応させる
ことを特徴とする請求項１に従う式（Ｉ）のピラゾール−カルボキシアニリドの製造法。
【請求項７】
請求項１に従う式（Ｉ）のピラゾール−カルボキシアニリドの少なくとも１種を、伸展剤及び／又は界面活性剤に加えて含んでなることを特徴とする望ましくない微生物の抑制のための組成物。
【請求項８】
請求項１に従う式（Ｉ）のピラゾール−カルボキシアニリドを微生物及び／又はそれらの生息場所に適用することを特徴とする望ましくない微生物の抑制法。